(57)【要約】【課題】子局からの呼出しが発生した場合に、親局において呼出元の子局の位置を常に迅速かつ正確に把握できるようにし、これにより迅速かつ適切な対応を可能にする。【解決手段】屋外型子局ＦＳ１〜ＦＳｎにおいてアンサバック呼出しのための通話ボタンの操作が行われた場合に、子局ＩＤを含む子局監視応答信号を生成して親局ＢＳに向け送信する。これに対し親局ＢＳの操作卓１は、屋外型子局ＦＳ１〜ＦＳｎから送られた子局監視応答信号を受信して、この信号から子局ＩＤを抽出する。そして、この子局ＩＤをもとに子局管理テーブル１９ａから該当する子局の位置データを読み出すと共に、地図データベース１９ｂから該当する子局の設置位置を含む地図データを読み出し、この読み出された地図データ及び上記位置データをもとに上記呼出元の屋外型子局の設置位置を地図上に表示した表示データを作成し、この作成された表示データを表示部１８に表示する。【選択図】      図４
2006094209.tif 000002
【特許請求の範囲】
【請求項１】
親局と、管理エリアに分散配置され前記親局に対し無線回線を介して接続可能な複数の子局とを備え、前記子局から親局に対し呼出しを行って当該子局と親局との間で音声通信を可能にする機能を備える防災無線システムであって、
前記子局は、
子局から親局を呼び出すための呼出操作に応じて、自局の識別情報を含む制御信号を生成して、この生成された制御信号を前記親局へ送信する手段を備え、
前記親局は、
前記管理エリアの地図データを記憶する第１の記憶手段と、
前記複数の子局の識別情報にそれぞれ対応付けて当該子局の設置位置を表す位置データを記憶する第２の記憶手段と、
前記子局からの呼出し時に、当該子局から送信される制御信号を受信する手段と、
前記受信された制御信号から子局の識別情報を抽出し、この抽出された子局識別情報をもとに前記第２の記憶手段から該当する子局の位置データを読み出す手段と、
前記第１の記憶手段から地図データを読み出し、この読み出された地図データと前記読み出された位置データとをもとに、前記呼出元の子局の設置位置を地図上に表示した表示データを生成する手段と、
前記生成された表示データを表示する手段と
を備えることを特徴とする防災無線システム。
【請求項２】
前記親局は、
前記地図上に設置位置が表示された呼出元の子局に係わる関連情報を、前記表示データに重ねて或いは並べて表示する手段を、さらに備えることを特徴とする請求項１記載の防災無線システム。
【請求項３】
前記表示データを表示する手段は、地図上の呼出元の子局の設置位置にマークを表示すると共に、このマークの表示を動的に変化させることを特徴とする請求項１記載の防災無線システム。
【発明の詳細な説明】
【技術分野】
【０００１】
この発明は、親局から複数の子局を選択的に呼び出して通報を行う防災無線システムに係わり、特に子局から親局に対するアンサバック機能を備えた防災無線システムに関する。
【背景技術】
【０００２】
防災行政用のディジタル同報通信システムは一般に、親局と複数の子局、或いはそれに中継局を加えることにより構成される。親局は、例えば市町村庁舎に設置され、子局に向け呼出信号及び通報信号を送信する。中継局は山上等の見通しの良好な場所に設置され、上記親局から送信された中継波を同報波に周波数変換して子局に向け送信する。各子局は、上記親局から自局宛の呼出信号が送られた場合に通報動作状態になり、この状態で親局から送られる通報信号を受信してその通報内容をスピーカから拡声出力することにより住民に知らせる（例えば、非特許文献１を参照。）。
【特許文献１】「市町村デジタル同報通信システム推奨規格（案）」社団法人電波産業界  平成１５年３月。
【発明の開示】
【発明が解決しようとする課題】
【０００３】
ところで、子局には屋外型と戸別型とがあり、このうち屋外型の子局は住民の操作に応じて親局を呼び出して通話を可能にする、いわゆるアンサバック機能を備えている。なお、戸別型の子局は親局からの通報信号の受信及び拡声出力のみが可能である。
【０００４】
しかしながら、上記アンサバック機能を備えた従来のシステムでは、子局から親局に対する呼出しが音声呼出しにより行われる。このため、親局のシステムオペレータは住民と実際に通話を行うまで当該住民の存在位置を把握することができず、これにより状況の把握及び対策の実施に遅れが生じることがあった。例えば、呼出元の住民の存在場所で河川の水位が異常に上昇したり崖崩れ等が発生した場合に、システムオペレータは異常や災害の発生場所を呼出元の住民との会話から把握せざるを得ない。このため、現地の位置の特定に時間がかかり、また住民が動揺している場合においては位置を特定できないこともあるため、現地への救援要員の派遣等の対応が遅くなる。
【０００５】
この発明は上記事情に着目してなされたもので、その目的とするところは、子局からの呼出しが発生した場合に、親局において呼出元の子局の位置を常に迅速かつ正確に把握できるようにし、これにより迅速かつ適切な対応を可能にした防災無線システムを提供することにある。
【課題を解決するための手段】
【０００６】
上記目的を達成するためにこの発明は、子局から親局に対し呼出しを行って当該子局と親局との間で音声通信を可能にする機能を備える防災無線システムにあって、上記子局に制御信号送信手段を備え、この制御信号送信手段により、子局から親局を呼び出すための呼出操作に応じて自局の識別情報を含む制御信号を生成し、この生成された制御信号を前記親局へ送信する。一方親局には、管理エリアの地図データを記憶する第１の記憶手段と、複数の子局の識別情報にそれぞれ対応付けて当該子局の設置位置を表す位置データを記憶する第２の記憶手段と、子局位置の表示制御手段を備える。そして、呼出時に上記子局から送られた制御信号から子局の識別情報を抽出して、この抽出された子局識別情報をもとに上記第２の記憶手段から該当する子局の位置データを読み出し、この読み出された位置データと上記第１の記憶手段から読み出した地図データとをもとに呼出元の子局の設置位置を地図上に表示した表示データを生成して表示するようにしたものである。
【０００７】
したがってこの発明によれば、子局においてアンサバックのための呼出操作が行われると、当該呼出元の子局の識別情報を含む制御信号が呼出信号と共に親局に送られ、親局において上記制御信号に含まれる子局識別情報に基づいて該当する子局の設置位置を地図上に表示した表示データが作成されて表示される。このため、親局のシステムオペレータは、呼出者と通話を行う前に上記表示データから呼出者の現在位置を把握することができ、この把握した位置と呼出者の通報内容とをもとに適切な対策を迅速かつ的確に実行することが可能となる。
【０００８】
またこの発明は、地図上に設置位置が表示された呼出元の子局に係わる関連情報を表示データに重ねて或いは並べて表示する手段を、親局にさらに備えることを特徴とする。このように構成すると、親局のシステムオペレータは呼出元の子局の現在位置ばかりでなく、当該子局に係わる関連情報を把握することが可能となり、これにより現地の状況をさらに的確に把握することが可能となる。子局に係わる関連情報としては、例えば子局の動作状態や当該子局からの過去の呼出履歴、さらには当該子局が設置された場所の住所、地勢、過去の災害発生履歴等を含めるとよい。
【０００９】
さらにこの発明は、表示データの表示手段において、地図上の呼出元の子局の設置位置にマークを表示すると共に、このマークの表示を動的に変化させることも特徴とする。動的変化の形態としては、例えば点滅や色の変化、マークの変化等が挙げられる。このように構成すると、親局のシステムオペレータは呼出元の子局の位置をさらに迅速にかつ明確に認識することが可能となる。
【発明の効果】
【００１０】
したがってこの発明では、子局における呼出操作に応じて、当該呼出元の子局の識別情報を含む制御信号を呼出信号と共に親局に送信し、親局において上記制御信号に含まれる子局識別情報に基づいて該当する子局の設置位置を地図上に表示した表示データを作成して表示するようにしている。  
したがってこの発明によれば、子局からの呼出しが発生した場合に、親局において呼出元の子局の位置を常に迅速かつ正確に把握できるようになり、これにより迅速かつ適切な対応を可能にした防災無線システムを提供することができる。
【発明を実施するための最良の形態】
【００１１】
図１は、この発明に係わる防災無線システムの一実施形態を示す概略構成図である。この実施形態のシステムは、親局ＢＳと、中継局ＲＳと、複数の子局とを備え、親局ＢＳと各子局との間で直接或いは中継局ＲＳを介して双方向又は単方向の無線通信を行う。無線通信方式としては、ＴＤＭＡ−ＴＤＤ（Time Division Multiple Access−Time Division Duplex）方式が使用される。
【００１２】
子局には、屋外型の通信装置（以後屋外型子局と称する）ＦＳ１〜ＦＳｎと、屋内型の通信装置（以後戸別受信機と称する）ＧＳ１〜ＧＳｍとがある。屋外型子局ＦＳ１〜ＦＳｎは例えば学校の校庭等に設置されるもので、次のように構成される。図２はその機能構成を示すブロック図である。
【００１３】
屋外型子局ＦＳ１〜ＦＳｎは、無線送受信のためのアンテナ３１及び無線部３２と、子局制御部３３と、ＩＤ記憶部３８とを備え、さらに通報を拡声出力するための出力インタフェース３４及び屋外拡声器３５と、アンサバック通話に使用するマイクロホン３６及び入力インタフェース３７とを備えている。
【００１４】
アンテナ３１及び無線部３２は、親局ＢＳから送信された下り無線信号を受信・復調し、この復調により再生された呼出信号及び通報信号を子局制御部３３に入力する。またそれと共に、子局制御部３３から出力された音声信号により変調された上り無線信号を生成し、この生成された上り無線信号をシステムに割り当てられた無線周波数に変換してアンテナ３１から親局ＢＳに向け送信する。
【００１５】
子局制御部３３は例えばマイクロコンピュータを主制御部として備え、呼出通報制御機能に加え、アンサバック制御機能３３ａを有している。なお、これらの制御機能はいずれも、図示しないプログラムメモリに格納されたアプリケーション・プログラムをＣＰＵ（Central Processing Unit）に実行させることにより実現される。
【００１６】
呼出通報制御機能は、上記無線部３２から入力された呼出信号を復号したのち、この復号されたデータに含まれる子局ＩＤをＩＤ記憶部３８に記憶された自己の子局ＩＤと照合する。そして、両ＩＤが一致した場合に通報動作状態となり、この状態で上記無線部３２から入力された通報信号を復号したのち出力インタフェース３４に供給する。出力インタフェース３４は、上記供給された通報信号をアナログ信号に変換したのち所定のレベルに増幅し、この増幅された通報信号を屋外拡声器３５から拡声出力する。
【００１７】
アンサバック制御機能３３ａは、図示しない送話ボタンが操作された場合に、音声呼出信号を生成してこの信号を上記無線部３２から親局ＢＳに向け送信する。またそれと共に、上記送話ボタンの操作（マイクプレス）に応じて子局監視応答信号を生成する。この子局監視応答信号にはＩＤ記憶部３８に記憶されている子局ＩＤが挿入される。そして、この生成された子局監視応答信号を上記無線部３２から親局ＢＳに向け送信する。
【００１８】
なお、戸別受信機ＧＳ1〜ＧＳmは受信機能のみを備え、住民の各住居内に設置される。この戸別受信機ＧＳ1〜ＧＳmも上記屋外型子局ＦＳ1〜ＦＳnと同様に、親局ＢＳから下り無線信号により到来した呼出信号が自装置の子局ＩＤを含んでいる場合に通報動作状態となり、この状態で親局ＢＳから下り無線信号により到来する通報信号を受信・復調してスピーカから拡声出力する。
【００１９】
また、中継局ＲＳは山上等の見通しの良好な場所に設置されるもので、第１及び第２の中継無線装置３，４を備える。第１の中継無線装置３は、上記親局ＢＳの無線装置２から中継波により送信された下り無線信号を受信し、受信された下り無線信号を第２の中継無線装置４に渡す。第２の中継無線装置４は、上記第１の中継無線装置３から渡された下り無線信号を同報波の周波数に周波数変換し、この周波数変換された下り無線信号を子局へ送信する。
【００２０】
一方、親局ＢＳは市町村役場等に設置されるもので、操作卓１と無線装置２とを備える。図４はその機能構成を示すブロック図である。  
操作卓１は、マイクロコンピュータを主制御部として有する親局制御部１１を備え、この親局制御部１１には記憶部１９及びインタフェース群が接続されている。インタフェース群は、出力インタフェース１２と、入力インタフェース１４と、表示インタフェース１６と、無線インタフェース２１とから構成される。
【００２１】
出力インタフェース１２は、アンサバック呼出しに伴い子局から送られた呼出者の音声信号をアナログ信号に変換してスピーカ１３から拡声出力する。入力インタフェース１４にはマイクロホン１５及び入力部１７が接続されている。入力インタフェース１４は、マイクロホン１５により入力されたシステムオペレータの通報音声、及び入力部１７により入力された操作情報をディジタル信号に変換して親局制御部１１へ出力する。表示インタフェース１６は、親局制御部１１から出力された表示データを表示部１８に表示する。表示部１８には例えば液晶表示器が使用される。無線インタフェース２１は、親局制御部１１の制御の下、無線装置２との間で送受信信号の授受を行う。
【００２２】
無線装置２は、上記操作卓１から出力された送信信号により変調された下り無線信号を生成し、この生成された下り無線信号をこのシステムに割り当てられた無線周波数に変換して送信する。また、子局から送られた上り無線信号を受信して復調し、この復調により再生された受信信号を操作卓１へ転送する。なお、上記下り無線信号を子局に対し直接送信する場合には同報波が、また中継局ＲＳを介して送信する場合には同報波とは周波数が異なる中継波が使用される。
【００２３】
記憶部１９には、子局管理テーブル１９ａ及び地図データベース１９ｂが設けられている。子局管理テーブル１９ａには、システムに属する各子局の子局ＩＤに対応付けて、通話中であるか否かを表す話中フラグと、子局の設置位置を表す位置データが記憶されている。図７にその一例を示す。なお、位置データは例えば緯度経度により表される。地図データベース１９ｂには、システムの管理エリア、例えば市町村の地図データが記憶されている。
【００２４】
親局制御部１１は、この発明に係わる制御機能として、アンサバック受信制御機能１１ａ及び表示制御機能１１ｂを新たに備えている。なお、これらの制御機能はいずれも、図示しないプログラムメモリに格納されたアプリケーション・プログラムをＣＰＵ（Central Processing Unit）に実行させることにより実現される。
【００２５】
アンサバック受信制御機能１１ａは、屋外型子局ＦＳ１〜ＦＳｎからアンサバック通話を要求する音声呼出信号が到来した場合に、呼出元の子局との間に通話リンクを確立するための処理を実行する。またそれと共に、上記音声呼出信号に続いて屋外型子局ＦＳ１〜ＦＳｎから到来する子局監視応答信号を受信し、この受信された子局監視応答信号から子局ＩＤを抽出しする。
【００２６】
表示制御機能１１ｂは、上記抽出された子局ＩＤをもとに子局管理テーブル１９ａから該当する子局の位置データを読み出すと共に、地図データベース１９ｂから上記位置データにより表される位置を含む地域の地図データを読み出す。そして、これらの読み出された地図データ及び位置データをもとに、上記呼出元の屋外型子局の設置位置を地図上に表示した表示データを作成し、この作成された表示データを表示インタフェース１６に供給して表示部１８に表示させる。また同時に、表示画面に子局情報表示ウィンドウＷを設け、このウィンドウに呼出元の子局の状態を表す情報を表示させる。
【００２７】
次に、以上のように構成されたシステムの動作を説明する。図５は屋外型子局ＦＳ１〜ＦＳｎの制御手順と制御内容を示すフローチャート、図６は親局ＢＳにおける操作卓１の制御手順と制御内容を示すフローチャートである。  
屋外型子局ＦＳ１〜ＦＳｎは、子局制御部３３において、ステップ５ａで自局に対する親局ＢＳからの呼出しの発生を監視しながら、ステップ５ｂでアンサバック通話のための通話ボタンの操作（マイクプレス）を監視している。そして、この状態で親局ＢＳから呼出信号が到来すると、当該呼出信号に含まれる子局ＩＤの照合処理、及び通報信号の拡声出力処理を実行する。
【００２８】
これに対し、親局ＢＳのシステムオペレータと通話を行うべく、屋外型子局ＦＳ１〜ＦＳｎにおいて呼出者が通話ボタンを操作したとする。そうすると屋外型子局ＦＳ１〜ＦＳｎの子局制御部３３は、ステップ５ｂからステップ５ｃに移行して、ここで先ず音声呼出信号を送信する。また子局制御部３３は、ステップ５ｄに移行してここでＩＤ記憶部３８から自局の子局ＩＤを読み出し、この子局ＩＤを挿入した子局監視応答信号を生成する。そして、この生成された子局監視応答信号を図３に示すように親局ＢＳに向け送信する。上記音声呼出信号及び子局監視応答信号の送信後に、親局ＢＳが応答して通話リンクが確立されると、子局制御部３３はステップ５ｅからステップ５ｆに移行して通話モードとなる。かくして、以後呼出者は親局ＢＳのシステムオペレータとの間で音声通話が可能となる。
【００２９】
一方親局ＢＳは、親局制御部１１において、ステップ６ａでシステムオペレータによる子局呼出操作を監視しながら、ステップ６ｂによりアンサバックの発生を監視している。この状態でシステムオペレータが入力部１７において子局呼出操作を行うと、親局制御部１１は呼出先として指定された子局に向け呼出信号を送信し、続いて通報内容を音声により表した通報信号を生成して上記子局に向け送信する。
【００３０】
さて、上記通報信号の送信後に、例えば屋外型子局ＦＳｉからアンサバックのための音声呼出信号が到来したとする。そうすると親局制御部１１は、システムオペレータに呼出しの発生を報知する。そして、この呼出報知に対しシステムオペレータが応答操作を行うと、呼出元の屋外型子局ＦＳｉとの間に通話リンクを確立するための処理を行う。かくして、以後システムオペレータは呼出者との間で通話が可能となる。なお、このとき子局管理テーブル１９ａの該当する子局に対応する通話フラグは、通話中であることを示す“１”に設定される。
【００３１】
また、上記音声呼出信号が受信されると親局制御部１１は、ステップ６ｃに移行してここで子局監視応答信号を受信する。そして、上記受信された子局監視応答信号から呼出元の子局ＩＤを抽出し（ステップ６ｄ）、抽出された子局ＩＤをもとに子局管理テーブル１９ａから該当する子局の位置データを読み出す（ステップ６ｅ）。
【００３２】
続いて親局制御部１１はステップ６ｆに移行し、ここで地図データベース１９ｂから上記位置データにより表される緯度経度を含む地域の地図データを読み出す。そして、この読み出された地図データ及び上記位置データをもとに、上記呼出元の屋外型子局ＦＳｉの設置位置を表すマークを地図上に表示した表示データを作成し、この作成された表示データをステップ６ｇにより表示インタフェース１６へ出力する。
【００３３】
かくして表示部１８には、上記呼出元の屋外型子局ＦＳｉの設置位置が表示された地図が表示される。図８はその表示結果の一例を示すもので、図中Ｐが屋外型子局ＦＳｉの設置位置を示すマークである。このとき、マークは一定の周期で点滅制御される。したがってシステムオペレータは、表示部１８の表示画像を見ることにより呼出元の屋外型子局ＦＳｉの設置位置を明確に視認することができる。  
また親局制御部１１は、図８に示すように表示画面の一角に子局情報表示ウィンドウＷを設け、この子局情報表示ウィンドウＷに呼出元の屋外型子局ＦＳｉの状態を表す情報を表示する。
【００３４】
以上述べたようにこの実施形態では、屋外型子局ＦＳ１〜ＦＳｎにおいてアンサバック呼出しのための通話ボタンの操作が行われた場合に、子局ＩＤを含む子局監視応答信号を生成してこの信号を親局ＢＳに向け送信する。これに対し親局ＢＳの操作卓１は、アンサバック呼出発生時に屋外型子局ＦＳ１〜ＦＳｎから送られた子局監視応答信号を受信して、この受信信号から子局ＩＤを抽出する。そして、この子局ＩＤをもとに子局管理テーブル１９ａから該当する子局の位置データを読み出すと共に、地図データベース１９ｂから該当する子局の設置位置を含む地図データを読み出し、この読み出された地図データ及び上記位置データをもとに上記呼出元の屋外型子局の設置位置を地図上に表示した表示データを作成し、この作成された表示データを表示部１８に表示するようにしている。
【００３５】
したがってこの実施形態によれば、親局ＢＳのシステムオペレータは、屋外型子局ＦＳ１〜ＦＳｎの呼出者との間で通話を行う前に、表示部１８の表示データを見ることにより呼出元の屋外型子局ＦＳｉの位置、つまり呼出者の現在位置を把握することができ、この把握した位置と呼出者の通報内容とをもとに適切な対策を迅速かつ的確に実行することが可能となる。またその際、呼出元の屋外型子局ＦＳｉの位置を表すマークを点滅表示しているので、呼出元の屋外型子局ＦＳｉの位置をより明確に視認することができる。
【００３６】
さらにこの実施形態では、表示画面の一角に子局情報表示ウィンドウＷを設け、この子局情報表示ウィンドウＷに呼出元の屋外型子局ＦＳｉの状態を表す情報を表示するようにしているので、親局のシステムオペレータは呼出元の子局の現在位置ばかりでなく、当該子局の状態を確認することができる。
【００３７】
なお、この発明は上記実施形態に限定されるものではない。例えば、前記実施形態では子局情報表示ウィンドウＷに、アンサバック通話中の屋外型子局ＦＳ１〜ＦＳｎの状態を表す情報を表示した。しかしそれに限らず、子局管理テーブル１９ａに、子局ごとの属性情報、例えば過去の呼出履歴、子局が設置された場所の住所、地勢、周辺地域における過去の災害発生履歴等を記憶しておき、この属性情報を子局管理テーブル１９ａから読み出して表示部１８に表示するようにしてもよい。このようにすると、親局ＢＳのシステムオペレータは呼出元の屋外型子局ＦＳ１〜ＦＳｎの現在位置ばかりでなく、同時に当該子局の属性情報を把握することが可能となり、これにより現地の状況をさらに的確に把握することが可能となる。
【００３８】
また前記実施形態では、呼出元の屋外型子局ＦＳｉの位置を表すマークを点滅表示させるようにしたが、マークの表示色を一定の周期で変化させるようにしてもよく、また異なる形状の複数のマークを一定の周期で交互に切替表示するようにしてもよい。また、現在位置の表示パターンとしてはマーク以外にアイコンや記号等を用いてもよい。
【００３９】
さらに、親局において、呼出元の子局の設置位置と共に呼出しの緊急度を表す情報を表示するようにしてもよい。例えば、屋外型子局ＦＳ１〜ＦＳｎに緊急度を指定する手段を設ける。そして、呼出者が通話ボタンを操作し、さらに上記手段により緊急度を指定した場合に、子局管理応答信号に子局ＩＤと共に上記指定された緊急度を表すデータを挿入して親局ＢＳへ送信する。これに対し親局ＢＳは、子局監視応答信号から抽出された緊急度を表す情報をもとに、表示画面上に緊急度を表すマークを表示する。このようにすると、親局のシステムオペレータは、通話開始前或いは通話中に呼出元の子局の設置位置と共に、アンサバック呼出しの緊急度を把握することが可能となる。
【００４０】
その他、子局及び親局の構成、アンサバック送受信制御の手順と内容、子局の設置位置の表示形態、子局から親局への子局ＩＤの通知手段等についても、この発明の要旨を逸脱しない範囲で種々変形して実施できる。  
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００４１】
【図１】この発明に係わる防災無線システムの一実施形態を示す概略構成図。
【図２】図１に示したシステムの屋外型子局の機能構成を示すブロック図。
【図３】図１に示したシステムの親局と屋外型子局との間で行われるアンサバック制御手順を示すシーケンス図。
【図４】図１に示したシステムの親局の機能構成を示すブロック図。
【図５】図２に示した屋外型子局におけるアンサバック送信制御手順と制御内容を示すフローチャート。
【図６】図４に示した親局におけるアンサバック受信制御及び表示制御の手順と制御内容を示すフローチャート。
【図７】図４に示した親局に設けられる子局管理テーブルの記憶内容の一例を示す図。
【図８】図４に示した親局の表示部に表示されるデータの一例を示す図。
【符号の説明】
【００４２】
ＢＳ…親局、ＲＳ…中継局、ＦＳ１〜ＦＳｎ…屋外型の通信装置（屋外型子局）、ＧＳ１〜ＧＳｍ…屋内型の通信装置（戸別受信機）、１…操作卓、２…無線装置、３，４…中継無線装置、１１…親局制御部、１１ａ…アンサバック受信制御機能、１１ｂ…表示制御機能、１２…出力インタフェース、１３…スピーカ、１４…入力インタフェース、１５…マイクロホン、１６…表示インタフェース、１７…入力部、１８…表示部、１９…記憶部、１９ａ…子局管理テーブル、１９ｂ…地図データベース、２１…無線インタフェース、２２…親局のアンテナ、３１…屋外型子局のアンテナ、３２…無線部、３３…子局制御部、３３ａ…アンサバック送信制御機能、３４…出力インタフェース、３５…屋外型拡声器、３６…マイクロホン、３７…入力インタフェース、３８…ＩＤ記憶部。
【図１】
2006094209.tif 000003
【図２】
2006094209.tif 000004
【図３】
2006094209.tif 000005
【図４】
2006094209.tif 000006
【図５】
2006094209.tif 000007
【図６】
2006094209.tif 000008
【図７】
2006094209.tif 000009
【図８】
2006094209.tif 000010